(57)【特許請求の範囲】
【請求項１】
永久磁石を駆動系の一要素とする有極リレーの感動電圧調整方法において、
１回目感動電圧調整工程は、
前記有極リレーを着磁する１回目フル着磁と、
フル着磁した前記有極リレーの初期感動電圧を計測する1回目感動電圧計測と、
感動電圧値をその大きさにより、複数の範囲に区切り、それぞれの範囲に予め記憶された最適な減磁量に決定して減磁による調整を行う１回目感動電圧調整と、
前記１回目感動電圧調整後の感動電圧が調整範囲内であるか否かを選別する１回目良否選別検査とからなり、
前記１回目良否選別検査において有極リレーの感動電圧が調整範囲外である場合に実行するｎ（ｎは回数を示す値）回目感動電圧調整工程は、
前記値ｎの初期設定を２として、前記調整範囲外の感動電圧を計測するｎ回目感動電圧計測と、
調整範囲外の有極リレーを着磁するｎ回目フル着磁と、
ｎ回目感動電圧調整工程において、感動電圧が所望の範囲内になるように、（フル着磁の状態の感動電圧−前回調整後の感動電圧）／（前回の減磁量）＝θの値におけるθ値と前回の減磁量から、減磁量を決定して減磁による調整を行うｎ回目感動電圧調整と、
前記ｎ回目感動電圧調整後の感動電圧が調整範囲内であるか否かを選別するｎ回目良否選別検査と、
前記ｎ回目良否選別検査で感動電圧が調整範囲外である場合に、値ｎを値ｎ＋１として、前記ｎ回目感動電圧計測、ｎ回目フル着磁、ｎ回目感動電圧調整、およびｎ回目良否選別検査を繰り返すことを特徴とした有極リレーの感動電圧調整方法。
【発明の詳細な説明】
【０００１】
【産業上の利用分野】
本発明は、永久磁石を駆動系の一要素とする有極リレーの感動電圧調整方法に関する。
【０００２】
【従来の技術】
従来、負荷である接点ギャップやバネ圧等を調整して、負荷系を駆動系に合わせる方法、あるいは、永久磁石にレーザ光を照射して、部分的かつ不可逆的に減磁させる方法（特開昭６１−２９０３０）がとられていた。
【０００３】
【発明が解決しようとする課題】
従来の前者の技術によると、バネ圧や接点ギャップの負荷系の調整は、自動化が困難である。また、後者の技術によると、リレーの構造上、磁石が表面に位置するリレーでないとレーザ光が照射できない。また、減磁しすぎた場合、再度、フル着磁する機構がないため、調整不可になるという問題点を有していた。
【０００４】
本発明はこのような点に鑑みてなされたものであり、減磁と着磁を繰り返して有極リレーの感動電圧の調整を行うことのできる自動化された有極リレーの感動電圧調整方法を提供することを目的とする。
【０００５】
【課題を解決するための手段】
上記課題を解決するために本発明による有極リレーの感動電圧調整方法は、永久磁石を駆動系の一要素とする有極リレーの感動電圧調整方法において、１回目感動電圧調整工程は、前記有極リレーを着磁する１回目フル着磁と、フル着磁した前記有極リレーの初期感動電圧を計測する1回目感動電圧計測と、感動電圧値をその大きさにより、複数の範囲に区切り、それぞれの範囲に予め記憶された最適な減磁量に決定して減磁による調整を行う１回目感動電圧調整と、前記１回目感動電圧調整後の感動電圧が調整範囲内であるか否かを選別する１回目良否選別検査とからなり、前記１回目良否選別検査において有極リレーの感動電圧が調整範囲外である場合に実行するｎ（ｎは回数を示す値）回目感動電圧調整工程は、前記値ｎの初期設定を２として、前記調整範囲外の感動電圧を計測するｎ回目感動電圧計測と、調整範囲外の有極リレーを着磁するｎ回目フル着磁と、ｎ回目感動電圧調整工程において、感動電圧が所望の範囲内になるように、（フル着磁の状態の感動電圧−前回調整後の感動電圧）／（前回の減磁量）＝θの値におけるθ値と前回の減磁量から、減磁量を決定して減磁による調整を行うｎ回目感動電圧調整と、前記ｎ回目感動電圧調整後の感動電圧が調整範囲内であるか否かを選別するｎ回目良否選別検査と、前記ｎ回目良否選別検査で感動電圧が調整範囲外である場合に、値ｎを値ｎ＋１として、前記ｎ回目感動電圧計測、ｎ回目フル着磁、ｎ回目感動電圧調整、およびｎ回目良否選別検査を繰り返すことに特徴を有している。
【０００６】
【作用】
１回目感動電圧調整工程において、有極リレーをフル着磁し、初期感動電圧に応じた減磁量で感動電圧調整を行い、感動電圧による良否選別の検査を行う。
２回目感動電圧調整工程において、感動電圧が調整範囲外の有極リレーの２回目感動電圧を計測し、フル着磁し、初期感動電圧と２回目感動電圧に応じた減磁量で感動電圧調整を行い、感動電圧による良否選別の検査を行う。
２回目感動電圧調整工程においても有極リレーの感動電圧が調整範囲外である場合には、２回目感動電圧調整工程と同様の感動電圧調整工程を３回目以降も繰り返し実施する。
【０００７】
【実施例】
以下、本発明の一実施例を図面に従って説明する。図１は、本発明の有極リレーの感動電圧調整方法におけるフローチャートである。図において、記号Ｓに続く数値はステップ番号を示している。
〔Ｓ１〕有極リレーの１回目フル着磁を行う。
〔Ｓ２〕フル着磁を行った有極リレーの初期感動電圧を１回目感動電圧計測として計測する。
〔Ｓ３〕初期感動電圧に応じた減磁により１回目感動電圧調整を行う。
〔Ｓ４〕感動電圧が調整範囲内であるか否かの１回目良否選別検査を行う。良品であれば感動電圧調整は終了する。Ｓ１〜Ｓ４が１回目感動電圧調整工程である。感動電圧が調整範囲外であれば、Ｓ５に進む。
【０００８】
〔Ｓ５〕何回目であるかを示すｎの初期設定を２，ｎ＝ｎ＋１と設定しており、Ｓ５に進むたびにｎは１づつ増加する。ｎ＝ｎ＋１→２の場合は、１回目感動電圧調整後の有極リレーの２回目感動電圧計測を行う。例えば、ｎ＝ｎ＋１→３の場合は、２回目感動電圧調整後の有極リレーの３回目感動電圧計測を行うことになる。
〔Ｓ６〕有極リレーのｎ回目フル着磁を行う。
〔Ｓ７〕Ｓ２における初期感動電圧とｎ回目感動電圧計測による感動電圧に応じた減磁によりｎ回目感動電圧調整を行う。
〔Ｓ８〕感動電圧が調節範囲内であるか否かのｎ回目良否選別検査を行う。良品であれば感動電圧調整は終了する。Ｓ５〜Ｓ８がｎ回目感動電圧調整工程である。
感動電圧が調整範囲外となる回数により、ｎは２から１づつ増加する。
【０００９】
図２は、１回目感動電圧工程における調整量としての減磁量を決定する方法を説明するものである。図に示すように、フル着磁した初期感動電圧のみに着目し、初期感動電圧値をその大きさにより、複数の範囲に区切る。それぞれの範囲に予め記憶された最適な減磁量を対応させる。例では、初期感動電圧値をＡ〜Ｅの５つに区切り、これに対応する減磁量はａ〜ｅとなっている。従って、初期感動電圧Ａ〜Ｅの範囲には感動電圧を調整するための最適な減磁量ａ〜ｅが予め決められているので、容易に調整範囲に入るように１回目感動電圧工程における減磁量を決定することができる。
【００１０】
図３は、有極リレーが調整範囲外となった場合の２回目感動電圧工程における調整量としての減磁量を決定する方法を説明するものである。
１回目感動電圧調整工程において、感動電圧が調整範囲外であった場合の２回目感動電圧調整工程の減磁量の決定方法として、θ＝（フル着磁の感動電圧−前回調整後の感動電圧）／（前回の減磁量）として、θと前回の減磁量により、有極リレーの感動電圧の変化量と減磁量の関係が明確になるため、次回の減磁量を決定することができる。
【００１１】
【発明の効果】
以上説明したように、１回目感動電圧調整工程において、初期感動電圧値が区切られ、これに減磁量が対応されているので、初期感動電圧の範囲には感動電圧を調整するための最適な減磁量が予め決められている。この結果、容易に調整範囲に入るように１回目感動電圧工程における減磁量を決定することができる。また、ｎ回目感動電圧調整工程において、ｎ回目感動電圧調整工程の減磁量の決定方法として、θ＝（フル着磁の感動電圧−前回調整後の感動電圧）／（前回の減磁量）と、θと減磁量とにより、有極リレーの感動電圧の変化量と減磁量の関係が明確になるため、次回の減磁量を決定することができる。
したがって、１回目感動電圧調整工程とｎ回目感動電圧調整工程とから、磁界を制御して有極リレーの駆動系である永久磁石の磁力を変化させることにより、感動電圧の調整が可能となり、生産性が向上するという効果を有している。
【図面の簡単な説明】
【図１】  本発明の有極リレーの感動電圧調整方法におけるフローチャートである。
【図２】  １回目感動電圧調整工程における調整量としての減磁量を決定する方法を説明する図である。
【図３】 第二の調整工程における調整量としての減磁量を決定する方法の説明図である。
【符号の説明】
Ａ〜Ｅ  感動電圧の区分
ａ〜ｅ  感動電圧の区分に対応した減磁量
【図１】
0003869023.tif 000002
【図２】
0003869023.tif 000003
【図３】
0003869023.tif 000004